(57)【要約】【課題】シートの搬送速度の変動を低減することが可能なシート搬送装置を提供する。【解決手段】シート搬送装置は、筒状の回転軸１０２と、回転軸１０２の外周面に掛け渡された少なくとも１本の搬送ベルト１０７とを備える。搬送ベルト１０７のうちシートＳを支持する部分が回転軸１０７の外周面に沿って湾曲する湾曲位置Ｐ１に達する前に、シートＳを前記搬送ベルトから離間する方向へと誘導する誘導部材１０５を備える。【選択図】図１
2014213960.tif 000002
【特許請求の範囲】
【請求項１】
筒状の回転軸と、該回転軸の外周面に掛け渡された少なくとも１本の搬送ベルトとを備え、前記回転軸の回転によって前記搬送ベルトを移動させることにより、前記搬送ベルトの外面に支持させたシートを搬送するシート搬送装置であって、
前記搬送ベルトのうち前記シートを支持する部分が前記回転軸の外周面に沿って湾曲する湾曲位置に達する前に、前記シートを前記搬送ベルトから離間する方向へと誘導する誘導部材を備えることを特徴とするシート搬送装置。
【請求項２】
前記搬送ベルトの外面に前記シートを吸着させる吸着手段を備えることを特徴とするシート搬送装置。
【請求項３】
前記誘導部材は、前記湾曲位置よりもシートの搬送方向における上流側において、前記搬送ベルトの外面から下流側に向けて外方へと傾斜する誘導面を備えることを特徴とする請求項１に記載のシート搬送装置。
【請求項４】
前記誘導部材は、前記搬送ベルトを平坦な状態で支持するプラテンのシートの搬送方向における下流側の端部に固定された板状部材により構成されていることを特徴とする請求項１に記載のシート搬送装置。
【請求項５】
前記誘導部材を前記搬送ベルトに搬送されて来るシートを外方へと誘導する突出位置と、前記シートの移動経路から退避する位置へと移動させるための移動手段を備えることを特徴とする請求項１に記載のシート搬送装置。
【請求項６】
前記移動手段は、前記誘導部材を保持するプランジャを移動させるソレノイドにより構成されることを特徴とする請求項５に記載のシート搬送装置。
【請求項７】
前記回転軸の外周面に複数本の搬送ベルトが掛け渡され、
前記誘導部材は、前記複数本の搬送ベルトの間に配置されていることを特徴とする請求項１ないし６のいずれかに記載のシート搬送装置。
【請求項８】
筒状の回転軸と、該回転軸の外周面に掛け渡された少なくとも１本の搬送ベルトとを備え、前記回転軸の回転によって前記搬送ベルトを移動させることにより、前記搬送ベルトの外面に支持させたシートを搬送するシート搬送装置と、前記シートにインクを吐出して画像を形成する画像形成手段とを備える画像形成装置であって、
前記シート搬送装置は、前記搬送ベルトのうち前記シートを支持する部分が前記回転軸の外周面に沿って湾曲する湾曲位置に達する前に、前記シートを前記搬送ベルトから離間する方向へと誘導する誘導部材を備えたことを特徴とする画像形成装置。
【請求項９】
前記誘導部材を前記搬送ベルトに搬送されて来るシートを外方へと誘導する突出位置と、前記シートの移動経路から退避する位置へと移動させるための移動手段を備えることを特徴とする請求項８に記載の画像形成装置。
【請求項１０】
前記画像形成手段よりもシートの搬送方向における下流側に定めた画像形成終了位置まで前記シートが搬送されて来たことを検出する画像形成終了センサと、前記画像形成終了位置よりシートの搬送方向における下流側に定められた排出位置まで前記シートが搬送されて来たことを検出する排出センサとを設け、
前記移動手段は、前記シートの後端を前記画像形成終了センサが検知すると前記誘導部材を前記シートの移動経路から退避する位置へと移動させ、前記シートの後端を排出センサが検知すると前記誘導部材を前記突出位置に移動させることを特徴とする請求項９に記載の画像形成装置。  
【発明の詳細な説明】
【技術分野】
【０００１】
本発明は、搬送ベルトを用いてシートを搬送する搬送手段を備えた搬送装置およびその搬送装置を用いた画像形成装置に関する。
【背景技術】
【０００２】
現在、画像形成装置としては、例えば図１４に示すように、搬送ベルトＢｔを用いた搬送装置ＣＡによってシートＳを搬送しつつ記録ヘッドＨからインクを吐出して画像を形成するものが知られている。搬送装置ＣＡでは、駆動軸Ｓ１と従動軸Ｓ２，Ｓ３とに掛け渡した無端の搬送ベルトＢｔを巡回移動させる一方、プラテンＰＴ内で発生させた負圧によって搬送ベルトＢｔの外面にシートＳを吸着させ、搬送ベルトＢｔと共にシートＳを搬送するようになっている。また、無端のベルトを用いてシートを搬送するものとしては、特許文献１に示すように、円筒状の駆動軸と従動軸とに搬送ベルトを掛け渡したものも提案されている。
【先行技術文献】
【特許文献】
【０００３】
【特許文献１】特開２００７−３０２４０６号公報
【発明の概要】
【発明が解決しようとする課題】
【０００４】
上記のような従来の画像形成装置では、装置の大型化を避けるべく搬送路の長さを短くすると、記録動作中にシートの先端が、搬送ベルトのうち、排出位置付近に配置された軸の周面に掛け渡されて所定の曲率で湾曲した周面部分に接触することがある。この軸の周面に沿って湾曲するベルトはベルトのピッチラインよりも外側の部分ほど移動速度が速く、ベルトのピッチラインよりも内側の部分ほど速度が遅くなっている。また、曲率を持たない平坦な部分のベルトの移動速度は、曲率を持ったベルト部分の中のベルトのピッチラインの移動速度に等しくなる。従って、曲率を持ったベルトの外周面の移動速度は、曲率を持たない平坦な部分のベルトの移動速度よりも高速になっている。このため、画像形成動作中に曲率を持ったベルト部分にシートが接触すると、その移動速度に影響されて搬送速度が不安定になり、記録ムラが発生するという問題が生じる。さらに、排出位置付近の湾曲したベルト部分ではシートの吸着面積が小さくなるため、シートに対する吸着力が弱くなることも記録ムラを発生させる要因となっている。
【０００５】
本発明は、シートの搬送速度の変動を低減することが可能なシート搬送装置の提供およびそのシート搬送装置を備えた画像形成装置の提供を目的とする。
【課題を解決するための手段】
【０００６】
上記課題を解決するため、本発明は以下の構成を有する。  
すなわち、本発明の第１の形態は、筒状の回転軸と、該回転軸の外周面に掛け渡された少なくとも１本の搬送ベルトとを備え、前記回転軸の回転によって前記搬送ベルトを移動させることにより、前記搬送ベルトの外面に支持させたシートを搬送するシート搬送装置であって、前記搬送ベルトのうち前記シートを支持する部分が前記回転軸の外周面に沿って湾曲する湾曲位置に達する前に、前記シートを前記搬送ベルトから離間する方向へと誘導する誘導部材を備えることを特徴とする。
【０００７】
本発明の第２の形態は、筒状の回転軸と、該回転軸の外周面に掛け渡された少なくとも１本の搬送ベルトとを備え、前記回転軸の回転によって前記搬送ベルトを移動させることにより、前記搬送ベルトの外面に支持させたシートを搬送するシート搬送装置と、前記シートにインクを吐出して画像を形成する画像形成手段とを備える画像形成装置であって、
前記シート搬送装置は、前記搬送ベルトのうち前記シートを支持する部分が前記回転軸の外周面に沿って湾曲する湾曲位置に達する前に、前記シートを前記搬送ベルトから離間する方向へと誘導する誘導部材を備えたことを特徴とする。
【発明の効果】
【０００８】
本発明に係るシート搬送装置によれば、シートが搬送ベルトの中の曲率を持った部分に接触しないため、シートの搬送速度の変動を低減することが可能になる。従って、本発明に係るシートを備えた画像形成装置によれば、シートの搬送速度の変動が低減されるため形成される画像に生じるムラを軽減することができる。
【図面の簡単な説明】
【０００９】
【図１】本発明の第１の実施形態における画像形成装置に設けられたシート搬送装置の周辺構成を模式的に示す側面図である。
【図２】（ａ）は第１の実施形態におけるシート搬送装置の構成を示す斜視図、（ｂ）は同図（ａ）に示す誘導部材の正面図である。
【図３】図１に示すシートが誘導部材上を通過する状態を示す断面図である。
【図４】第２の実施形態における画像形成装置のブロック図である。
【図５】本発明の第２の実施形態における画像形成装置に設けられたシート搬送装置の周辺構成を模式的に示す断面図およびその一部拡大図である。
【図６】第２の実施形態における搬送装置を示す平面図である。
【図７】図４のＡ−Ａ線断面図である。
【図８】図４に示すシートが誘導部材上を通過する状態を示す断面図およびその一部拡大図である。
【図９】図６に示す誘導部材がシートの移動経路から退避した状態を示す断面図である。
【図１０】本発明の第２の実施形態における画像形成装置の、シートの排出時の状態を示した断面図およびその一部拡大図である。
【図１１】図７に示す誘導部材およびその周辺構成を拡大して示す斜視図である。
【図１２】図９に示す誘導部材およびその周辺構成を拡大して示す斜視図である。
【図１３】第２の実施形態における画像形成装置の制御動作を示すフローチャートである。
【図１４】従来の搬送装置を示す側面図である。
【発明を実施するための形態】
【００１０】
以下、図面を参照して本発明の実施形態を説明する。
【００１１】
（第１の実施形態）
図１は、本発明の第１の実施形態における画像形成装置に設けられたシート搬送装置（以下、単に搬送装置と称す）およびその周辺構成を模式的に示す側面図である。本実施形態では、画像形成装置として、シートにインクを吐出して画像を形成するいわゆるインクジェット記録装置（以下、単に記録装置という）１００を例に採り説明する。本実施形態における記録装置１００は、画像を記録すべきシートＳを搬送する搬送ベルト１０１を備えた搬送装置１と、矢印Ｙ方向に搬送されるシートＳにインクを吐出して画像の形成を行う画像形成手段としての記録ヘッドユニット２と、を備える。記録ヘッドユニット２には、４本の記録ヘッドがシート搬送方向（Ｙ方向）に沿って順次平行に配置されている。本実施形態では、４本の記録ヘッドとして、イエロー色のインクを吐出する記録ヘッド２１、シアン色のインクを吐出する記録ヘッド２２、マゼンタ色のインクを吐出する記録ヘッド２３、黒色のインクを吐出する記録ヘッド２４、を用いている。各記録ヘッドは、インクをシートＳ１上に吐出する複数のノズルを、シートの搬送方向（Ｙ方向）と直交する方向（図１の紙面と直交する方向）に沿って、使用するシートの最大幅以上の長さに亘って配列したラインヘッドとなっている。各ノズル内には吐出エネルギー発生素子が設けられ、この素子を駆動することによってノズル内のインクがノズルの開口部である吐出口から搬送ベルトに向けて吐出される。一般に記録ヘッドのインク吐出方式としては、電気熱変換素子（ヒータ）を用いたヒータ方式と、電気機械変換素子（ピエゾ）を用いたピエゾ方式が知られている。ヒータ方式は、ヒータを通電してヒータ近傍のインクを膜沸騰させ、ノズル内のインクを吐出口からノズル外部に吐出する方法である。ピエゾ方式とは、電圧を加えると変形するピエゾ素子（圧電素子）を用いることで、ノズル内のインク容積を変化させ、ノズル内のインクをノズルの吐出口からノズル外部に吐出する方式である。
【００１２】
このように、本実施形態における記録装置はラインヘッドを用い、搬送装置１によって連続的にシートを搬送しつつ記録を行なう、いわゆるフルライン型のインクジェット記録装置となっている。ただし本発明は、これに限定されるものではなく、記録ヘッドがシートの幅方向（シートの搬送方向と直交する方向）に沿って移動することにより記録を行うシリアル型のインクジェット記録装置にも適用可能である。
【００１３】
また、本実施形態における搬送装置１には、搬送ベルト１０１へとシートＳを給送する給送ユニット３、および記録後に排出されてきたシートＳを積載するシート積載部４が設けられている。さらに搬送装置１には、搬送モータ（図４参照）によって回転駆動される円筒状の駆動軸（回転軸）１０２と、円筒状の従動軸（回転軸）１０３、１０４と、これらの軸１０２，１０３，１０４の外周面に掛け渡された無端の搬送ベルト１０１と、が設けられている。搬送ベルト１０１の移動経路の内側にはプラテン１０６が配設されており、プラテン１０６の平坦面１０６ａが、搬送ベルト１０１の中の駆動軸１０２と従動軸１０４との間の平面領域Ｒに対向している。
【００１４】
図２（ａ）は、本実施形態における搬送装置１の斜視図である。図示のように、本実施形態では、３本の搬送ベルト１０１を用いている。この搬送ベルト１０１の本数はシートＳの最大幅に応じて適宜決定可能である。例えば、３本以外の複数本の搬送ベルトを用いることも可能であり、１本の搬送ベルトを用いることも可能である。また、搬送ベルト１０１は、従動軸１０４から駆動軸１０２に至る部分の中の平面領域Ｆｒにおいてプラテン１０６により支持されており、搬送ベルト１０１がプラテン１０６の上を摺動するように配置されている。
【００１５】
本実施形態における搬送ベルト１０１は、可撓性を有する無端のベルトからなり、その全域には多数の通気孔が形成されている。また、搬送ベルト１０１の平面領域Ｆｒを支持するプラテン１０６の支持面１０６ａにも多数の通気孔が形成されている。プラテン内には、吸気ファンなどからなる負圧発生手段が設けられている。この負圧発生手段を駆動してプラテン１０６内に負圧を発生させることにより、プラテン１０６及び搬送ベルト１０１の通気孔を通じて搬送ベルト１０１上の空気がプラテン内に吸引され、搬送ベルト１０１の外面に給送されたシートＳが吸着される。この状態で搬送モータ１６（図４）により駆動軸１０２が駆動され、搬送ベルト１０１が巡回移動することにより、搬送ベルト１０１の上流側端部（図１中、右端部）から搬送方向（Ｙ方向）に沿って下流側へと搬送される。
【００１６】
一方、本実施形態では、プラテン１０６の下流側端部に、駆動ローラの頂部を覆うように突出する誘導部材１０５が設けられている。ここに示す誘導部材１０５は、プラテン１０６の下流側端部に一端部が固定され、他端部が３本の搬送ベルト１０１の間から平坦駆動ローラ１０２の頂部よりやや斜め後方へと突出する複数（図では２枚）の板状部材によって構成されている。
【００１７】
図４は、本実施形態における記録装置に設けられた制御系の概略構成を示すブロック図である。図４において、ＣＰＵ１０はホストコンピュータ２０に接続されており、ホストコンピュータ２０から送信された画像データに対するデータ処理や画像形成装置の各部の動作を制御する。ＲＯＭ１１にはＣＰＵ１０で実行するプログラムなどが格納される。ＲＡＭ１２は種々のデータを一時的に格納するデータ格納エリアを有する共に、ＣＰＵ１０にて処理を実行する際のワークエリアを有する。
【００１８】
ＣＰＵ１０は、記録データおよび駆動制御信号をヘッドドライバ１５ａに供給することによって、各記録ヘッドに配列されたノズルからインクを吐出するための吐出エネルギー発生素子の駆動を制御する。さらに、ＣＰＵ１０は駆動軸１０２の駆動源である搬送モータ１６の駆動をモータドライバ１６ａを介して制御すると共に、吸気ファンを回転させるファンモータ１７の駆動をモータドライバ１７ａを介して制御する。また、給送ユニット３の駆動もＣＰＵ１０によって制御される。
【００１９】
また、ＣＰＵ１００には、入力操作部１０３から入力された種々のデータおよびインクジェット画像形成装置の各部に設けられたセンサからなるセンサ群からの検出信号が入力される。なお、センサ群１４には、記録ヘッド２１による記録位置より上流の所定位置に配置された先端センサ１０７、シートが画像形成終了位置に達したことを検出する画像形成終了センサ１０８ｂが含まれる。さらに、センサ群１４には、シートの移動経路の終端であるシート排出位置にシートの後端が到達したことを検出する排出センサ１０９も含まれている。
【００２０】
上記構成を有する記録装置において、給送ユニット３には、複数枚のシートを積層してなるシート束が収納されており、そのシート束から一枚ずつ搬送装置１の搬送ベルト１０１上へとシートが給送される。搬送ベルト１０１上に給送されたシートＳは、プラテン１０６内に設けられた吸気ファンによって発生させた負圧によって、搬送ベルト１０１の平坦領域Ｆｒに吸着され、搬送ベルト１０１と共に記録ヘッドユニット２へと搬送される。そして、記録ヘッドユニット２に達したシートＳに対し、記録データに基づいて各記録ヘッドからインクが吐出され、画像が記録される。この記録ヘッドによるインク吐出動作は、記録ヘッド２１より上流の所定位置に配置された先端センサによりシートＳの先端が検出された時点を基準にして開始される。
【００２１】
記録ヘッドユニット２の最下流位置に配置されている記録ヘッド２４により記録されたシートＳはプラテン１０６で発生させた負圧によって搬送ベルト１０１の外面１０１ａに吸着されながら、シート載置部へ向けて搬送されて行く。この際、記録ヘッド２４を通過したシートＳは、プラテンの下流部の搬送ベルトと搬送ベルトの間に設置された誘導部材１０５に乗り上げ、誘導部材１０５の誘導面１０５ａに沿って搬送される。誘導部材１０５は図３に示すように、搬送ベルト１０１の平坦領域Ｆｒの終端部付近から、駆動軸１０２の周面に沿って所定の曲率で湾曲する湾曲部Ｒｆの頂部位置（湾曲位置）Ｐ１より上方へと突出している。このため、誘導部材１０５の誘導面１０５ａに沿って移動するシートＳは、搬送ベルト１０１の湾曲部Ｒｆから離間する方向へと搬送されて行き、記録が完了したシートＳは、最終的に自重によってシート積載部４に落下し、積載される。
【００２２】
このように、本実施形態では、記録動作中、シートは搬送ベルトの平坦領域Ｒｆと共に移動した後、搬送ベルトの湾曲部Ｒｃの手前で誘導部材１０５に乗り上げ、外方へ向けて下流側へと搬送されて行く。このため、搬送ベルトにおけるシートの移動経路長を短くして小型化を図る場合、またはシートの移動経路長に対してシートが長い場合など、移動経路長とシートの長さとがいかなる関係にあろうとも、シートが搬送ベルトの湾曲部Ｒｃに接触することはない。このため、記録動作中の搬送速度の変動は低減され、搬送速度の変動に起因する記録ムラの発生も軽減される。また、本実施形態では、図２（ｂ）に示すように、誘導部材１０５の誘導面１０５ａにリブ１０５１を設けてあるため、シートＳへの搬送抵抗を軽減することができ、円滑な搬送動作が可能となる。
【００２３】
（第２の実施形態）
次に本発明の第２の実施形態における画像形成装置としてのインクジェット記録装置２００を、図４ないし図１３を参照しつつ説明する。  
【００２４】
上記第１の実施形態では、プラテンの下流側端部に誘導部材１０５を固定した例を示した。これに対し、この第２の実施形では、プラテンの後方部において誘導部材５０１が搬送ベルト１０１の外面１０１ａから上方へ突出したり、シート移動経路となるシート支持面より下方に退避したりするよう構成されており、この点が上記第１の実施形態と相違する。なお、他の構成は第１の実施形態と同様であり、各図において第１の実施形態と同一もしくは相当部分には同一符号を付しその説明の詳細は省く。
【００２５】
プラテン１０６の下流側端部には、図１１に示すようにビス５０２１によってソレノイド５０２が固定され、ソレノイド５０２のプランジャ５０２ａの先端部には誘導部材５０１が保持されている。プランジャ５０２ａは、ＣＰＵ１０（図４参照）によって制御される駆動回路５１２によりソレノイド５０２に磁界を発生させるか否かによって進退する。本実施形態では、駆動回路５０２ａがオフ状態となっているときにはソレノイド５０２に電流が流れず磁力が発生しないため、図１１に示すようにソレノイド圧縮バネ５０３の押圧力によってプランジャ５０２ａが突出状態となる。その結果、誘導部材の誘導面５０１０は図５ないし図８に示すように搬送ベルト１０１の外面１０１ａから上方に突出する。すなわちプランジャ５０２の突出時には、誘導部材５０１の誘導面５０１０は、その上流側から下流側にかけて斜め上方に傾斜し、その上流側端部は搬送ベルト１０１の外面１０１ａより下方に、下流側端部は外面１０１ａより上方に位置する。
【００２６】
また、ソレノイド５０２がオンとなっているときには、ソレノイド５０２内に発生する磁力により、プランジャ５０２ａはバネ５０３の押圧力に抗してソレノイド５０２内に吸引される。これにより、誘導部材５０１の誘導面５０１０は、その全体が、図９および図１０に示すように搬送ベルト１０１の外面１０１ａより下方に位置することとなる。
【００２７】
また、本実施形態では、誘導部材５０１の移動の安定化を図るため、誘導部材５０１の側部に設けたレール状凸部５０１３を、プラテン１０６に形成したレール状凹部１０６１に摺動可能に嵌合させている。さらに誘導部材５０１には、図１１および図１２に示すようにストッパ部材５０１２を設け、プランジャ５０２ａの突出時にストッパ部材５０１２がプラテン１０６に当接するよう構成している。これによれば、プランジャ５０２ａのレール状凸部５０１３がレール状凹部１０６１から抜脱するのを阻止するようになっている。
【００２８】
このように、誘導部材５０１の移動は、レール状凸部５０１３とレール状凹部１０６１との嵌合およびストッパ部材５０１２とプラテン１０６との当接により規制され、移動の安定性および精度を確保するものとなっている。また、誘導部材５０１には図１０のようにシートＳと接触するリブ５０１１を形成し、シートＳへの搬送抵抗を軽減するよう構成されている。なお、その他の構成は、図１ないし図４を参照しつつ説明した上記第１の実施形態と同様である。
【００２９】
次に、上記構成を有する第２の実施形態において、ＣＰＵ１０によって実行される記録動作の手順を、図１３のフローチャートに基づき説明する。  
画像形成装置２００の入力操作部１３に設けられた不図示の電源スイッチにより操作者が電源を投入すると、ＣＰＵ１０はソレノイドドライバ５１２を介してソレノイド５０２をオフとし、誘導部材５０１を搬送ベルト１０１の外面１０１ａより上方に突出させる（ステップ１）。この後、操作者が入力操作部１３によって記録動作開始指令を入力すると（ステップ２）、ＣＰＵ１０は、モータドライバ１６ａ，１７ａを駆動して搬送モータ１６およびファンモータ１７を駆動すると共に給送ユニット３を駆動し（ステップ３）、給送ユニット３から搬送ベルト１０１上へのシートＳの給送を行う。
【００３０】
搬送ベルト１０１へ給送されたシートＳは、ファンモータ１７の空気吸引作用によって搬送ベルト１０１の上面に吸着し、搬送ベルト１０１と共に下流へと搬送されて行く。この後、先端センサ１４ａがシートＳの先端を検出すると（ステップ４）、所定のタイミングで記録ヘッドユニット２の各記録ヘッド２１から順次インクが吐出され、シートＳへの記録が開始される（ステップ５）。記録動作中、シートＳの一部は搬送ベルトの平坦領域Ｆｒと共に搬送されて行き、搬送ベルト１０１の湾曲部Ｒｃより上流側の位置で誘導部材５０１に乗り上げ、下流側へと搬送されて行く。このため、シートの移動経路長とシートの長さとがいかなる関係にあろうとも、駆動軸１０２の周面に沿って湾曲している搬送ベルト１０１の湾曲部ＲｃにシートＳが接触することはない。従って、記録動作中の搬送速度の変動は低減され、搬送速度に起因する記録ムラの発生も軽減される。
【００３１】
さらに記録終了部センサ１０８によりシートＳの後端が検出されると（ステップ６）、ＣＰＵ１０は、ソレノイドドライバ５１２を制御してソレノイド５０２をオンとし、図８に示すようにシートの移動経路となる搬送ベルト１０１の外面よりも下方向へと誘導部材５０１を退避させる（ステップ７）。その結果、排出位置まで搬送されてきたシートＳは自重によりシート積載部４に落下し積載される。このように、この第２の実施形態では、記録が終了したシートＳを排出するに際し、誘導部材５０１をシートの移動経路よる下方へと退避させる構成となっているため、図１０に示すように、誘導部材５０１がシートＳの移動を阻害することはなく、スムーズな排出を行うことが可能となる。加えて排出センサ１０９によりシートＳの後端を検知すると、誘導部材５０１は再び突出位置（図５の位置）へと移動する。
【００３２】
（他の実施形態）
上記各実施形態では、シートを搬送ベルトに吸着させる吸着手段を、プラテンに設けた吸気ファンなどからなる負圧発生手段によって構成した例を示した。しかし、吸着手段は上記の例に限定されるものではなく、他の構成を採用することも可能である。例えば、搬送ベルトに静電気を帯電させ、その静電気によって記録媒体を搬送ベルトの外面に吸着させるような吸着手段を用いることも可能である。
【００３３】
また、上記各実施形態では、画像形成装置としてインクジェット記録装置を例に採り説明したが、本発明はインクジェット記録装置以外の画像形成装置、例えば、電子写真方式を用いた画像形成装置におけるシートの搬送にも適用可能である。
【符号の説明】
【００３４】
１  搬送装置
２  記録ヘッドユニット
３  給送ユニット
１０１  搬送ベルト
１０１ａ  搬送ベルトの外面
１０２  駆動軸
１０３，１０４  従動軸
１０５  誘導部材
１０６  プラテン
１０７  記録終了センサ
１０８  排出センサ
５０１  誘導部材
５０２  ソレノイド
Ｓ  シート
【図１】
2014213960.tif 000003
【図２】
2014213960.tif 000004
【図３】
2014213960.tif 000005
【図４】
2014213960.tif 000006
【図５】
2014213960.tif 000007
【図６】
2014213960.tif 000008
【図７】
2014213960.tif 000009
【図８】
2014213960.tif 000010
【図９】
2014213960.tif 000011
【図１０】
2014213960.tif 000012
【図１１】
2014213960.tif 000013
【図１２】
2014213960.tif 000014
【図１３】
2014213960.tif 000015
【図１４】
2014213960.tif 000016